(57)【要約】【課題】  ＨＤＲ、ＳＤＲの入力信号に応じた、シングル／同時表示設定切り替えの手間を軽減すること。【解決手段】  複数の映像信号と該映像信号に関する色変換情報を受信し、一つ以上の映像信号を同時表示可能な表示装置であって、該色変換情報に応じて同時表示する映像信号を決定する表示装置において、該色変換情報をあらかじめ分類し、色変換情報が異なる分類信号を同時表示することを特徴とする。【選択図】  図１
2020120211.tif 000002
【特許請求の範囲】
【請求項１】
複数の映像信号と該映像信号に関する色変換情報を受信し、一つ以上の映像信号を同時表示可能な表示装置であって、該色変換情報に応じて同時表示する映像信号を決定する表示装置において、
該色変換情報をあらかじめ分類し、色変換情報が異なる分類信号を同時表示することを特徴とする表示装置。
【請求項２】
色変換情報に応じて、画質設定パラメータを決定し、
該色変換情報をあらかじめ分類し、該画質設定パラメータ内の色変換情報が異なる分類信号を同時表示することを特徴とする請求項１に記載の表示装置。
【発明の詳細な説明】
【技術分野】
【０００１】
本発明は、表示装置およびその制御方法に関する。
【背景技術】
【０００２】
映像制作分野で使用される表示装置は、映像を入力する映像入力端子が複数搭載され、入力した複数の映像を同時に表示する機能が搭載されている。
【０００３】
また、映像制作用の撮像装置においては映像を出力する映像出力端子が複数搭載されており、撮像解像度が大きい場合は映像を分割して複数の端子にて出力し、解像度が小さい場合は同一の映像を全端子から出力するよう構成されている。
【０００４】
さらに、同一の映像を複数端子から出力する場合は、それぞれの端子毎に異なる色変換処理を適用して、例えば端子１は映像規格ＢＴ．７０９に従った画質、端子２は映像規格ＢＴ．２０２０に従った画質、といった異なる画質の映像を出力することも可能である。
【０００５】
表示装置としては、カメラの撮影解像度が大きく映像を分割して複数の端子にて出力した映像を受信している場合は、複数の映像を同時に表示する必要がある（マルチ表示）。この様子を図５に示す。
【０００６】
また、カメラの撮影解像度が小さく同一の映像を全端子から出力した映像を受信している場合は、一つの映像のみを１画面にて確認できればよい（シングル表示）。この様子を図６に示す。一方、同じくカメラの撮影解像度が小さく同一の映像を全端子から出力した映像を受信している場合でも、それぞれの端子に異なる色変換処理を適用している場合は、複数の映像を同時に表示し、各々の映像の比較確認を行う必要がある（同時表示、あるいは比較表示）。この様子を図７に示す。
【０００７】
このように受信信号に応じて、表示装置の表示設定をマルチ表示、シングル表示、比較表示への切り替えが必要であった。特許文献１において、この切り替えの手間を軽減する技術が開示されている。特許文献１では、入力映像が同一か否かを、信号に付加されたカメラ識別情報、あるいは画像解析結果（画像特徴量、ヒストグラム）を用いて判定し、表示する映像を１つにする技術が開示されている。
【０００８】
さらには、信号に付加されたカメラの出力端子情報やガンマカーブ情報等を用いて判定する技術も存在する。
【０００９】
近年、ＨＤＲ（High Dynamic Range）と呼ばれる、従来のＳＤＲ（Standard Dynamic Range）に比べてより広い明るさの幅（ダイナミックレンジ）を表現できる表示技術が普及し始めている。ＨＤＲの規格の一つにガンマカーブがあるが、ＨＤＲではＰＱ（Perceptual Quantization）方式とＨＬＧ（Hybrid Log Gamma）方式の二つが制定されている。さらに、ＰＱ方式とＨＬＧ方式の映像を同時出力可能なオーサリングツールも製品化されている。
【先行技術文献】
【特許文献】
【００１０】
【特許文献１】特開２０１１−９１５７８号公報
【発明の概要】
【発明が解決しようとする課題】
【００１１】
しかしながら、ＰＱ方式とＨＬＧ方式は同じＨＤＲ方式であり、ＰＱ方式とＨＬＧ方式の映像を、並べて比較表示をといったニーズはほとんどない。
【００１２】
しかしながら従来技術によれば、ＰＱ方式とＨＬＧ方式の信号を受信している場合は、ガンマカーブが異なるため、二つの映像の比較表示となってしまっていた。
【課題を解決するための手段】
【００１３】
上記の課題を解決するために、本発明に係る表示装置は、
複数の映像信号と該映像信号に関する色変換情報を受信し、一つ以上の映像信号を同時表示可能な表示装置であって、該色変換情報に応じて同時表示する映像信号を決定する表示装置において、
該色変換情報をあらかじめ分類し、色変換情報が異なる分類信号を同時表示することを特徴とする。
【発明の効果】
【００１４】
本発明に係る表示装置によれば、ＨＤＲ信号、ＳＤＲ信号、の入力信号に応じて、シングル／比較表示設定が自動的に切り替わる。より具体的には、ＨＤＲ信号（ＰＱ信号またはＨＬＧ信号）信号とＳＤＲ信号が入力されている場合は、自動的に比較表示となる。比較表示の必要のない、ＰＱ信号とＨＬＧ信号が入力されている場合は、自動的にシングル表示となる。
【図面の簡単な説明】
【００１５】
【図１】表示装置の第１のブロック図である。
【図２】表示装置の第１のフローチャートである。
【図３】表示装置の第２のブロック図である。
【図４】表示装置の第２のフローチャートである。
【図５】マルチ表示の様子を示す図である。
【図６】シングル表示の様子を示す図である。
【図７】比較表示の様子を示す図である。
【発明を実施するための形態】
【００１６】
以下、本発明を実施するための形態について、図面を参照しながら説明する。
【００１７】
＜実施例１＞
図１は、第１の実施形態に係る表示装置１００のブロック図である。
【００１８】
同図において１１０、１２０は映像信号入力部であり、例えばＳＤＩ（Serial Digital Interface）規格に準じたＳＤＩ入力端子より成り、映像信号が入力される。ここでは、映像信号入力部１１０は映像信号１を、映像信号入力部１２０は映像信号２を取得する。
【００１９】
１３０、１４０は画像処理部であり、映像信号１および映像信号２に対して色域変換処理、ガンマ変換処理等の画像処理を行う。
【００２０】
１５０は画像合成部であり、画像処理部１３０、１４０からの映像信号を合成する。より正しくは、後述の比較表示判定部２００の判定結果が“比較表示”を行うであった場合、画像処理部１３０、１４０からの映像信号を合成し、出力する。比較表示判定部２００の判定結果が“シングル表示”を行うであった場合、画像処理部１３０あるいは画像処理部１４０からの映像信号のいずれかを出力する。
【００２１】
画像合成部１５０からの出力映像は、画像出力部１６０を通じて、表示部１７０で表示される。
【００２２】
１８０はメタ情報解析部であり、映像信号１および映像信号２のメタ情報として受信する色変換情報を解析する。色変換情報とは、例えば色域やガンマカーブのことである。あるいは、Ｔｒａｎｓｆｅｒ  ｃｈａｒａｃｔｅｒｉｓｔｉｃｓやＣｏｌｏｒｉｍｅｔｒｙのことである。本実施例では、色域およびガンマカーブを例に説明する。
【００２３】
１９０は画質設定部であり、映像信号１および映像信号２の映像の色味や明るさが、表示部１７０で正しく表示されるよう、メタ情報解析部１８０の解析結果に従って、画像処理部１３０、１４０の画質変換処理パラメータを設定する。
【００２４】
２００は比較表示判定部であり、メタ情報解析部１８０の結果に従って、比較表示を行うか否かを判定する。
【００２５】
以上の構成において、比較表示判定部２００の動作を図２のフローチャートを用いて説明する。
【００２６】
ここで、説明を簡単にするために、表示装置１００が取得する映像信号は、表１に示す信号であるものとする。
【００２７】
【表１】
2020120211.tif 000003
【００２８】
信号１および信号２がＨＤＲ信号である。
【００２９】
表示装置１００は、ガンマカーブの値として、ＰＱ、ＨＬＧ、ＳＤＲの３種を受信する。ここでは、この３種のガンマカーブは、表２に示す分類を持つものとする。
【００３０】
【表２】
2020120211.tif 000004
【００３１】
ステップＳ１００において、映像信号１、２の色域が同じであるか否かを判定する。異なる場合はステップＳ１３０へ進み、比較表示を行うと判定する。同じ場合はステップＳ１１０へ進む。
【００３２】
ステップＳ１１０において、映像信号１、２のガンマカーブが同じであるか否かを判定する。異なる場合はステップＳ１２０へ進む。同じ場合はステップＳ１４０へ進み、シングル表示を行うと判定する。
【００３３】
ステップＳ１２０において、映像信号１、２のガンマカーブが、同じ分類のガンマカーブであるか否かを判定する。異なる分類すなわちＰＱとＳＤＲ、あるいは、ＨＬＧとＳＤＲ、の場合はステップＳ１３０へ進み、比較表示を行うと判定する。同じ分類のガンマカーブすなわちＰＱとＨＬＧの場合はステップＳ１４０へ進み、シングル表示を行うと判定する。
【００３４】
以上説明した動作によれば、表１に示した信号を入力した場合の判定動作・結果は表３となる。
【００３５】
【表３】
2020120211.tif 000005
【００３６】
以上説明したように本実施例によれば、  ガンマカーブを表２に示す分類とし、２信号のガンマカーブが異なる分類の場合に比較表示する構成とすることにより、ＨＤＲ信号、ＳＤＲ信号、の入力信号に応じて、シングル／比較表示設定が自動的に切り替わる。
【００３７】
ＨＤＲ信号（ＰＱ信号またはＨＬＧ信号）信号とＳＤＲ信号が入力されている場合は、自動的に比較表示となる（信号１および信号３入力時、あるいは信号２および信号４入力時等）。比較表示の必要のない、ＰＱ信号とＨＬＧ信号が入力されている場合は、自動的にシングル表示となる（信号１および信号２入力時）。
【００３８】
＜実施例２＞
以下に本発明の第２の実施の形態について図面を用いて説明する。第２の実施例に係る説明は、第１の実施例との相違点についてのみ説明する。第１の実施例と同一の構成には、同一の符号を付与して表す。
【００３９】
図３は、第２の実施形態に係る表示装置２５０のブロック図である。
【００４０】
２６０は設定画質判定部であり、メタ情報解析部１８０の解析結果に従って、表示する画質を決定する。設定画質判定部２６０は例えば表４に示すようなテーブルで構成されてよい。表４の意味は、Ｎｏ．１では、メタ情報の色域がＲｅｃ．２０２０でかつガンマカーブがＰＱの映像信号は、表示する画質グループをＵｓｅｒ１とする、という意味である。画質グループに関しては、この後説明する。
【００４１】
【表４】
2020120211.tif 000006
【００４２】
２７０は画質設定テーブルであり、設定画質判定部２７０で判定された画質に関する各種画質変換処理パラメータを画像処理部１３０、１４０に設定する。画質設定テーブル２７０は例えば表５に示すようなテーブルで構成されてよい。表５の意味は、画質設定グループとしてＵｓｅｒ１が指定されたときは、コントラストを１００ｃｄ／ｍ２、色温度をＤ６５、色域をＢＴ．７０９、ガンマを２．２の設定にする、という意味である。
【００４３】
【表５】
2020120211.tif 000007
【００４４】
以上の構成において、表示装置２５０の動作を図４のフローチャートを用いて説明する。図４のフローチャートで使用する値は、メタ情報内の値ではなく、設定画質判定部２７０により画像処理部１３０、１４０に設定される各種画質変換処理パラメータ値であることに注意されたい。
【００４５】
画質設定テーブル２７０で設定されるガンマカーブの値として、ＰＱ、ＨＬＧ、２．２の３種を有する。ここでは、この３種のガンマカーブは、表６に示す分類を持つものとする。
【００４６】
【表６】
2020120211.tif 000008
【００４７】
ステップＳ２００において、映像信号１、２の設定コントラスト値が同じであるか否かを判定する。異なる場合はステップＳ２５０へ進み、比較表示を行うと判定する。同じ場合はステップＳ２１０へ進む。
【００４８】
ステップＳ２１０において、映像信号１、２の設定色温度が同じであるか否かを判定する。異なる場合はステップＳ２５０へ進み、比較表示を行うと判定する。同じ場合はステップＳ２２０へ進む。
【００４９】
ステップＳ２２０において、映像信号１、２の設定色域が同じであるか否かを判定する。異なる場合はステップＳ２５０へ進み、比較表示を行うと判定する。同じ場合はステップＳ２３０へ進む。
【００５０】
ステップＳ２３０において、映像信号１、２の設定ガンマカーブ値が同じであるか否かを判定する。異なる場合はステップＳ２４０へ進む。同じ場合はステップＳ２３０へ進む。
【００５１】
ステップＳ２３０において、映像信号１、２の設定ガンマカーブ値が同じであるか否かを判定する。異なる場合はステップＳ２４０へ進む。同じ場合はステップＳ２６０へ進み、シングル表示を行うと判定する。
【００５２】
ステップＳ２４０において、映像信号１、２の設定ガンマカーブ値が、同じ分類のガンマカーブであるか否かを判定する。異なる分類すなわちＰＱと２．２、あるいは、ＨＬＧと２．２、の場合はステップＳ２５０へ進み、比較表示を行うと判定する。同じ分類のガンマカーブすなわちＰＱとＨＬＧの場合はステップＳ２６０へ進み、シングル表示を行うと判定する。
【００５３】
いくつかの具体的な信号受信時の動作、以下に説明する。映像信号１（色域：Ｒｅｃ．２０２０、ガンマカーブ：ＨＬＧ）および映像信号２（色域：Ｒｅｃ．２０２０、ガンマカーブ：ＨＬＧ）が入力された場合、設定画質グループは、Ｕｓｅｒ２およびＵｓｅｒ３と判定される。フローチャート動作は、Ｓ２００でＹｅｓ、Ｓ２１０でＹｅｓ、Ｓ２２０でＹｅｓ、Ｓ２３０でＮｏ、Ｓ２４０でＮｏとなり、比較表示と判定される。
【００５４】
換言すれば、設定画質変換処理パラメータが、コントラスト、色温度、色域が同じであっても、ガンマカーブが２．２とＨＬＧであるため、比較表示される。
【００５５】
映像信号１（色域：Ｒｅｃ．７０９、ガンマカーブ：ＨＬＧ）および映像信号２（色域：Ｒｅｃ．７０９、ガンマカーブ：ＳＤＲ）が入力された場合、設定画質グループは、Ｕｓｅｒ４およびＢＴ．７０９と判定される。フローチャート動作は、Ｓ２００でＹｅｓ、Ｓ２１０でＹｅｓ、Ｓ２２０でＹｅｓ、Ｓ２３０でＮｏ、Ｓ２４０でＹｅｓとなり、シングル表示と判定される。
【００５６】
換言すれば、設定画質変換処理パラメータが、コントラスト、色温度、色域が同じであり、かつガンマカーブが異なっていても、ガンマカーブが同じ分類の場合は、シングル表示となる。
【００５７】
映像信号１（色域：Ｒｅｃ．７０９、ガンマカーブ：ＰＱ）および映像信号２（色域：Ｒｅｃ．７０９、ガンマカーブ：ＨＬＧ）が入力された場合、設定画質グループは、Ｕｓｅｒ３およびＵｓｅｒ４と判定される。フローチャート動作は、Ｓ２００でＮｏとなり、比較表示と判定される。
【００５８】
換言すれば、設定画質変換処理パラメータのガンマカーブがＰＱとＨＬＧであっても、コントラスト値が異なるため、比較表示となる。ここで、コントラスト値が同じであっても、色温度、色域が異なることで、同じく比較表示となることは、図４に示すフローチャートより明らかである。
【００５９】
以上説明したように本実施例によれば、ガンマカーブを表６に示す分類とし、２つの信号の設定画質変換処理パラメータが、コントラスト、色温度、色域が同じであっても、ガンマカーブが異なる分類の場合にマルチ表示する構成とすることにより、ＨＤＲ信号、ＳＤＲ信号、の設定値に応じて、シングル／マルチ表示設定が自動的に切り替わる。
【００６０】
以上の説明において、設定画質判定部２６０と設定画質判定部２７０を一つのテーブルとして構成しても何ら問題はない。さらに、不図示のユーザインターフェース、ＯＳＤ等を通じて、ユーザが設定内容を変更可能な構成であっても、何ら本発明の主旨を曲げるものではない。
【００６１】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６２】
１００，２５０  表示装置、１１０，１２０  映像信号入力部、
１３０，１４０  画像処理部、１５０  画像合成部、１６０  画像出力部、
１７０  表示部、１８０  メタ情報解析部、１９０  画質設定部、
２００  比較表示判定部、２６０  設定画質判定部、２７０  画質設定テーブル
【図１】
2020120211.tif 000009
【図２】
2020120211.tif 000010
【図３】
2020120211.tif 000011
【図４】
2020120211.tif 000012
【図５】
2020120211.tif 000013
【図６】
2020120211.tif 000014
【図７】
2020120211.tif 000015